(57)【要約】【課題】被包装物が柔らかい物品や、壊れやすい物品であっても適用可能なスキンパック包装体を提供する。【解決手段】所定形状の台紙１０と、被包装物である物品２１及び物品２１を収容する複数のポケット２２ａを有するカバー部材２２からなる被包装体２０と、合成樹脂フィルム３０とから構成されており、複数の物品２１をポケット２２ａに収容したカバー部材２２に台紙１０を載せ、台紙１０が下になるように上下を反転した状態で、その上面側を加熱することで軟化させた合成樹脂フィルム３０によって被覆し、真空脱気することによって、合成樹脂フィルム３０をカバー部材２２の外形に沿って伸展させると共に台紙１０の表面に接着固定することによって形成される。【選択図】        図１
2015009827.tif 000002
【特許請求の範囲】
【請求項１】
被包装体を載置した状態の台紙を、加熱することで軟化させた合成樹脂フィルムによって被覆し、真空脱気することによって、前記合成樹脂フィルムを被包装体の外形に沿って伸展させると共に前記台紙の表面に接着したスキンパック包装体において、
前記被包装体は、少なくとも被包装物と、前記台紙と前記合成樹脂フィルムとの間に、前記被包装物を覆うシート成形体からなるカバー部材とを備えていることを特徴とするスキンパック包装体。
【請求項２】
前記被包装体は、前記カバー部材によって覆われた前記被包装物と前記台紙との間に、ガスバリア性を有するシート部材を備えている請求項１に記載のスキンパック包装体。
【請求項３】
前記被包装物を収容した状態で前記カバー部材と前記シート部材とが予めシールされている請求項２に記載のスキンパック包装体。
【請求項４】
前記合成樹脂フィルムまたは前記カバー部材が遮光性能または紫外線遮蔽性能を有している請求項１、２または３に記載のスキンパック包装体。
【発明の詳細な説明】
【技術分野】
【０００１】
この発明は、被包装物の保護性能向上に寄与するスキンパック包装体に関する。
【背景技術】
【０００２】
スキンパック包装は、表面に感熱接着剤を塗布したボール紙等の通気性の良い台紙の上に被包装物である種々の物品を載置し、加熱することで軟化させた合成樹脂フィルムによって被覆して台紙の裏面側から真空脱気することにより、合成樹脂フィルムを物品の外形に沿って伸展させると共に台紙の表面に接着するものであり、どのような形状の物品についても、比較的廉価に包装することができるという利点がある。
【先行技術文献】
【特許文献】
【０００３】
【特許文献１】特開２００３−２００６８号公報
【発明の概要】
【発明が解決しようとする課題】
【０００４】
しかしながら、スキンパック包装に使用される合成樹脂フィルムは薄肉であり、全く保形性を有していないので、柔らかい物品や、壊れやすい物品にスキンパック包装を施すと、物品を覆っている合成樹脂フィルムの外側から押圧されることによって、物品自体が変形したり、損傷を受けたりするおそれがあり、スキンパック包装は、こういった柔らかい物品や、壊れやすい物品に適した包装形態であるとはいえなかった。
【０００５】
そこで、この発明の課題は、被包装物が柔らかい物品や、壊れやすい物品であっても適用可能なスキンパック包装体を提供することにある。
【課題を解決するための手段】
【０００６】
上記の課題を解決するため、請求項１に係る発明は、被包装体を載置した状態の台紙を、加熱することで軟化させた合成樹脂フィルムによって被覆し、真空脱気することによって、前記合成樹脂フィルムを被包装体の外形に沿って伸展させると共に前記台紙の表面に接着したスキンパック包装体において、前記被包装体は、少なくとも被包装物と、前記台紙と前記合成樹脂フィルムとの間に、前記被包装物を覆うシート成形体からなるカバー部材とを備えていることを特徴とするスキンパック包装体を提供するものである。
【０００７】
また、請求項２に係る発明は、請求項１に係る発明のスキンパック包装体において、前記被包装体は、前記カバー部材によって覆われた前記被包装物と前記台紙との間に、ガスバリア性を有するシート部材を備えていることを特徴としている。
【０００８】
また、請求項３に係る発明は、請求項２に係る発明のスキンパック包装体において、前記被包装物を収容した状態で前記カバー部材と前記シート部材とが予めシールされていることを特徴としている。
【０００９】
また、請求項４に係る発明は、請求項１、２または３に係る発明のスキンパック包装体において、前記合成樹脂フィルムまたは前記カバー部材が遮光性能または紫外線遮蔽性能を有していることを特徴としている。
【発明の効果】
【００１０】
以上のように、請求項１に係る発明のスキンパック包装体は、被包装体が、少なくとも被包装物と、台紙と合成樹脂フィルムとの間に、被包装物を覆うシート成形体からなるカバー部材とを備えているので、従来のスキンパック包装体に比べて、被包装物の保護性能が向上し、被包装物が柔らかい物品や、壊れやすい物品にも適用することが可能となる。
【００１１】
また、スキンパック包装に使用される台紙は、上述したように、通気性を有しているので、請求項２に係る発明のスキンパック包装体のように、カバー部材によって覆われた被包装物と台紙との間にガスバリア性を有するシートを設けておくと、微生物や細菌等の進入を抑制することができる。
【００１２】
また、請求項３に係る発明のスキンパック包装体は、被包装物を収容した状態でカバー部材とシート部材とが予めシールされているので、密封性能に優れており、食品や薬剤に適した包装形態であるといえる。
【００１３】
また、請求項４に係る発明のスキンパック包装体は、合成樹脂フィルムまたはカバー部材が遮光性能または紫外線遮蔽性能を有しているので、光や紫外線による被包装物の変色、退色または変質を抑制することができる。
【図面の簡単な説明】
【００１４】
【図１】（ａ）はこの発明に係るスキンパック包装体の一実施形態を示す平面図、（ｂ）は同上のスキンパック包装体を示す底面図、（ｃ）は同上のスキンパック包装体を示す側面図である。
【図２】図１（ａ）のＸ−Ｘ線に沿った断面図である。
【図３】同上のスキンパック包装体を示す分解断面図である。
【図４】同上のスキンパック包装体を構成している台紙を示す平面図である。
【図５】（ａ）は同上のスキンパック包装体を構成しているカバー部材を示す平面図、（ｂ）は（ａ）のＹ−Ｙ線に沿った断面図である。
【図６】同上のスキンパック包装体の開封方法を示す底面図である。
【図７】他の実施形態であるスキンパック包装体を示す分解断面図である。
【図８】さらに他の実施形態であるスキンパック包装体を示す分解断面図である。
【図９】（ａ）、（ｂ）は他の開封形態を示す台紙の底面図である。
【図１０】（ａ）、（ｂ）は他の開封形態を示す台紙の底面図である。
【図１１】他の開封形態を示すスキンパック包装体の底面図である。
【発明を実施するための形態】
【００１５】
以下、実施の形態について図面を参照して説明する。本発明のスキンパック包装体は、薬剤や菓子等の食品等の壊れやすい物品、スポンジ等の変形しやすい物品、ＳＤカード等の損傷を受けやすい物品等の被包装物にスキンパック包装を施したものであり、被包装物として錠剤タイプの薬剤や菓子等の物品を例に挙げて、その包装形態について以下に説明する。
【００１６】
図１（ａ）〜（ｃ）、図２及び図３に示すように、このスキンパック包装体１は、所定形状の台紙１０と、被包装物である物品２１及び物品２１を収容する複数のポケット２２ａを有するカバー部材２２とを備えた被包装体２０と、合成樹脂フィルム３０とから構成されており、複数の物品２１をポケット２２ａに収容したカバー部材２２に台紙１０を載せ、台紙１０が下になるように上下を反転した状態で、その上面側を加熱することで軟化させた合成樹脂フィルム３０によって被覆し、真空脱気することによって、合成樹脂フィルム３０を被包装体２０におけるカバー部材２２の外形に沿って伸展させると共に台紙１０の表面に接着固定したものである。なお、図３に示すスキンパック包装体１の分解断面図は、図２に示すスキンパック包装体１の断面構造を分かりやすくするために記載したものであるため、合成樹脂フィルム３０を、カバー部材２２及び台紙１０の表面に沿うような形状として表わしているが、実際の合成樹脂フィルム３０は上述のとおり真空脱気する際にカバー部材２２の外形に沿って伸展されるものであり、予め成形したものではないことはいうまでもない。後述する図７及び８についても同様である。
【００１７】
前記台紙１０には、図４に示すように、カバー部材２２の左右のポケット２２ａを上下に挟むように配設された複数本の横ミシン目１１と、上下の横ミシン目１１を結ぶように、左右のポケット２２ａの間に配設された縦ミシン目１２と、上から２本目及び４本目の横ミシン目１１と縦ミシン目１２との交差部分に形成された指入れ穴１３とを備えており、指入れ穴１３の周縁部分をきっかけとして横ミシン目１１及び縦ミシン目１２を破断しながら、台紙１０の一部を部分的に起こすと、カバー部材２２の各ポケット２２ａに対応する部分を個別に露出させることができるようになっている。
【００１８】
また、台紙１０には、上から３本目の横ミシン目１１の両端部付近に半円弧状の切目１４が形成されており、図１（ａ）に示すように、この切目１４によって形成される舌片１５でカバー部材２２の両側縁部分を挟み込むことで、カバー部材２２を台紙１０上に位置決めすることができるようになっている。
【００１９】
前記台紙１０は、ボール紙、ノーコート紙等の通気性の良い厚紙によって形成された基材層と、この基材層の表面に順次積層されたデザイン等の表示印刷層及び接着剤層とから構成される。なお、基材層は、厚紙、普通紙、合成紙等の紙製のものに限定されず、複数の微小通気孔が形成されたコート紙、不織布、合成樹脂シート、発泡樹脂シートなどの単層シート及びこれらの２以上のシートが積層接着された積層シートなどの各種シート材を用いることができる。合成紙、合成樹脂シート及び発泡樹脂シートの材質は、特に限定されず、例えば、ポリエチレン、ポリプロピレンなどのポリオレフィン系、ポリエチレンテレフタレートなどのポリエステル系、ナイロンなどのポリアミド系などが挙げられる。なお、ここにいう「シート」には、一般にフィルムと呼ばれるものも含まれる。
【００２０】
基材層として厚紙が用いられる場合、その厚みは、特に限定されないが、例えば、０．５ｍｍ〜１ｍｍである。また、基材層として普通紙、コート紙又は不織布が用いられる場合、その目付量は、特に限定されないが、例えば、好ましくは５０ｇ／ｍ２〜６００ｇ／ｍ２であり、さらに好ましくは２７０ｇ／ｍ２〜６００ｇ／ｍ２である。基材層として合成紙、合成樹脂シート又は発泡シートが用いられる場合、その厚みは、特に限定されないが、例えば、４０μｍ〜２００μｍ程度である。
【００２１】
前記接着剤層は、ベタ状に設けられていてもよいし、断続的に設けられていてもよい。なお、接着剤層が、合成樹脂フィルム３０の裏面に設けられていてもよい。合成樹脂フィルム３０の裏面に接着剤層が設けられている場合、台紙１０側には接着剤層を設ける必要性はない。接着剤層の厚みは、特に限定されないが、例えば、１μｍ〜３０μｍである。接着剤層を形成する接着剤としては、感熱性接着剤、感熱性粘着剤、溶剤型接着剤、エマルジョン型接着剤、感圧型粘着剤などが挙げられるが、不必要時に接着性を示さず且つ必要時に接着性を発現させることができることから、感熱性接着剤又は感熱性粘着剤を用いることが好ましい。感熱性接着剤は、室温では固化しており且つ加熱されることによって活性化して接着性を発現し、冷却によって固化して部材間を接着する接着剤である。感熱性粘着剤は、室温では固化しており且つ加熱されることによって活性化して接着性を発現して部材間を接着し、冷却後も粘着性が持続する接着剤である。感熱性接着剤又は感熱性粘着剤の種類としては、例えば、ディレードタック型、エマルジョン型、溶剤型、ホットメルト型などが挙げられる。
【００２２】
ディレードタック型の感熱性接着剤は、室温で接着性を示さず、加熱することによって接着性を示し且つ冷却後長時間に亘ってその接着性が持続するものであり、グラビアコーティングなどの印刷によって塗工可能な接着剤である。ディレードタック型の感熱性接着剤としては、例えば、エチレン−酢酸ビニル共重合体、酢酸ビニル−アクリル酸エステル共重合体、合成ゴムなどのベース樹脂に粘着付与剤及び固体可塑剤が配合されたエマルジョン型のものなどが例示される。
【００２３】
エマルジョン型又は溶剤型の感熱性接着剤又は感熱性粘着剤は、例えば、エチレン−酢酸ビニル共重合体などの熱接着性樹脂と粘着付与剤などを、水又は有機溶剤などに溶解又は分散させた溶液を、グラビアコーティングなどの印刷によって塗工可能な接着剤又は粘着剤であり、塗工後乾燥して使用するものである。
【００２４】
ホットメルト型の感熱性接着剤又は感熱性粘着剤は、加熱溶融し、ホットメルトコーター、エクストルージョンラミネーターなどによって塗工可能な接着剤又は粘着剤である。この例としては、エチレン−酢酸ビニル共重合体やエチレンアクリル酸共重合体などのエチレン系樹脂、スチレン−ブタジエンブロック共重合体などのベース樹脂に粘着付与剤などの添加剤が配合されたものが挙げられる。
【００２５】
使用される感熱性接着剤又は感熱性粘着剤は、通常、軟化点６０℃〜１８０℃のものが用いられ、好ましくは、軟化点７０℃〜１４０℃である。このような軟化点の接着剤を用いることにより、フィルムＦを軟化させるために加熱した際に、その熱で接着剤層の接着剤を活性化させることができる。なお、前記軟化点は、ＪＩＳ  Ｋ  ６８６３に準じて測定できる。
【００２６】
前記カバー部材２２は、図５（ａ）、（ｂ）に示すように、複数のポケット２２ａが２列で配置されたシート成形体であり、ポリエチレンテレフタレート等のポリエステル系樹脂、ポリプロピレン、ポリエチレン等のポリオレフィン系樹脂、エチレン−ビニルアルコール共重合樹脂、ポリアミド、ポリ塩化ビニルなどの周知の合成樹脂材料からなる厚み１００μｍ〜３００μｍの透明シートを用いて真空成形や真空圧空成形されている。なかでも、ガスバリア性が比較的高い、ポリエステル系樹脂、及びエチレン−ビニルアルコール共重合樹脂が好適である。
【００２７】
前記合成樹脂フィルム３０としては、ポリオレフィン系樹脂、ポリアミド系樹脂、ポリエステル系樹脂、軟質塩化ビニル系樹脂、エチレン−酢酸ビニル共重合体樹脂、アイオノマーフィルム等の単層構成または一種あるいは二種以上の複層構成を使用することができる。また、適宜必要に応じて、ガスバリアー性や遮光性等の各種機能を有する周知のフィルムを用いることもできる。
【００２８】
ポリオレフィン系樹脂としては、例えば、直鎖状低密度ポリエチレン、低密度ポリエチレン、中密度ポリエチレン、高密度ポリエチレンなどのポリエチレン系樹脂、ポリプロピレンなどのポリプロピレン系樹脂、プロピレン−エチレン共重合体、エチレン−酢酸ビニル共重合体、アイオノマー樹脂、エチレン−（メタ）アクリル酸共重合体、エチレン−（メタ）アクリル酸−不飽和カルボン酸エステル共重合体などの各種共重合体が挙げられ、好ましくは、ポリエチレン系樹脂であり、特に好ましくは、直鎖状低密度ポリエチレンである。これらは単独で用いてもよいし、二種以上混合して用いてもよい。
【００２９】
ポリアミド系樹脂としては、ナイロン６、ナイロン６６、ナイロン６９、ナイロン６１０、ナイロン６１２、ナイロン１１、ナイロン１２などの脂肪族ポリアミド重合体、ナイロン６−６６（ナイロン６とナイロン６６の共重合体を表す。以下同様に表記する）、ナイロン６−１０、ナイロン６−１２、ナイロン６−６９、ナイロン６−６１０、ナイロン６６−６９などの脂肪族ポリアミド共重合体を例示することができる。なかでも、脂肪族ポリアミド共重合体が好ましく、特にナイロン６−６６、ナイロン６−１０またはナイロン６−１２が好ましい。これらは単独で用いてもよいし、二種以上混合して用いてもよい。
【００３０】
ポリエステル系樹脂としては、ポリ（エチレンテレフタレート）、ポリ（ブチレンテレフタレート）、ポリ（エチレンテレフタレート／イソフタレート）、ポリ（エチレングリコール／シクロへキサンジメタノール／テレフタレート）などが代表格としてあげられ、更にこれらの重合体に共重合成分としてエチレングリコール、ブチレングリコール、シクロヘキサンジメタノール、ネオペンチルグリコール、ペンタンジオールなどのジオール類、あるいはイソフタール類、ベンゾフェノンジカルボン酸、ジフェニルスルホンジカルボン酸、ジフェニルメタンジカルボン酸、プロピレンビス（フェニルカルボン酸）、ジフェニルオキサイドジカルボン酸、シュウ酸、マロン酸、コハク酸、グルタル酸、アジピン酸、ピメリン酸、スベリン酸、アゼライン酸、サバチン酸、ジエチルコハク酸などのジカルボン酸を含有せしめたものが使用できる。
【００３１】
本発明においては、合成樹脂フィルム３０として、融点の異なる樹脂を少なくとも二層以上有する複層構成のフィルムが好ましく、なかでも、高融点の樹脂（即ち耐熱性を有する樹脂）を中間層とし、該中間層の樹脂よりも低融点の樹脂を表裏層とする二種三層で構成されたフィルムが特に好ましい。台紙１０への接着に寄与する低融点の樹脂よりも耐熱性を有する樹脂が積層されていることにより、フィルム強度が向上する。さらに、二種三層で構成されたフィルムであれば、加熱や冷却に起因したカールをし難くなり、スキンパック包装体の仕上がりの向上を図ることができる。
【００３２】
二種三層で構成されたフィルムとしては、例えば、ポリオレフィン系樹脂（低融点）／ポリオレフィン系樹脂（高融点）／ポリオレフィン系樹脂（低融点）、ポリオレフィン系樹脂／ポリアミド系樹脂／ポリオレフィン系樹脂、ポリオレフィン系樹脂／ポリエステル系樹脂／ポリオレフィン系樹脂、等が挙げられ、好ましくは、ポリオレフィン系樹脂／ポリアミド系樹脂／ポリオレフィン系樹脂である。なかでも、ポリオレフィン系樹脂が直鎖状低密度ポリエチレンまたは低密度ポリエチレンのいずれかであり、ポリアミド系樹脂が脂肪族ポリアミド共重合体であることが特に好ましい。
【００３３】
以上のように構成されたスキンパック包装体１から物品２１を取り出すには、図６に示すように、台紙１０の指入れ穴１３に指を入れ、その周縁部分をきっかけとして横ミシン目１１及び縦ミシン目１２を破断しながら、台紙１０の一部を部分的に起こすと、カバー部材２２の各ポケット２２ａに対応する部分が開放され、物品２１を取り出すことができる。
【００３４】
以上のように、このスキンパック包装体１は、被包装物である物品２１をカバー部材２２によって覆った状態でスキンパック包装が施されているので、カバー部材を備えていない従来のスキンパック包装体に比べて、物品２１の保護性能が向上し、被包装物が柔らかい物品や、壊れやすい物品にも適用することが可能となる。
【００３５】
なお、スキンパック包装に使用される台紙１０は通気性を有しているので、ガスバリア性が要求される被包装物に対しては、図７に示すように、カバー部材２２によって覆われた物品２１と台紙１０との間にガスバリア性を有するシート２３を配設しておくと、微生物や細菌等の進入を抑制することができる。
【００３６】
ガスバリア性を有するシート２３としては、エチレン−ビニルアルコール共重合樹脂（ＥＶＯＨ）、アルミニウム箔、ポリ塩化ビニリデン等のガスバリア性を有するフィルム、ポリエチレンテレフタレート、ポリブチレンテレフタレート、ポリエチレンナフタレート等のポリエステル系樹脂やポリイミド樹脂等の合成樹脂フィルムにアルミニウム、ＳｉＯｘ、Ａｌ２Ｏ３等の無機化合物を蒸着したフィルム、熱可塑性樹脂の表面にポリ塩化ビニリデンのエマルジョン等のガスバリア性材料をコーティングしたフィルム、または、これらの積層体を使用することができる。なお、ここにいう「シート」には、一般にフィルムと呼ばれるものも含まれる。
【００３７】
また、図８に示すように、被包装体２０として、カバー部材２２のポケット２２ａに物品２１を収容した状態で、カバー部材２２とガスバリア性を有するシート２３とを予めシールしておくことによって、密封性能を付与することができる。こういった包装形態としては、例えば、薬剤の１次包装体として一般的に採用されているプレススルーパック包装体（以下、ＰＴＰ包装体という。）に、２次包装としてスキンパック包装を施すことが考えられ、この場合、ＰＴＰ包装体を構成している、シート成形体からなる底材及びアルミニウム箔からなる蓋材が、本発明におけるカバー部材及びガスバリア性を有するシートに相当する。
【００３８】
特に、ＰＴＰ包装体の場合、乳幼児や子供であっても、シート成形体である底材のポケットを押圧することによって、ポケットを閉塞している蓋材としてのアルミニウム箔が容易に破断され、ポケットに収容されている薬剤を簡単に取り出すことができるが、ＰＴＰ包装体にスキンパック包装を施すと、台紙と合成樹脂フィルムとの間にＰＴＰ包装体が配設されており、蓋材であるアルミニウム箔が台紙に重ね合わされた状態になっているので、台紙の一部を部分的に破断して起こすといった予備開封動作を行わない限り、ＰＴＰ包装体の底材のポケットを押圧しても、ポケットに収容されている薬剤を取り出すことができず、乳幼児や子供の悪戯や誤飲を防止することができるという効果がある。
【００３９】
また、カバー部材２２または合成樹脂フィルム３０を、遮光性能や紫外線遮蔽性能を有する素材によって形成しておくと、光や紫外線による被包装物である物品２１の変色、退色または変質を抑制することができる。
【００４０】
遮光性能や紫外線遮蔽性能を有するカバー部材２２または合成樹脂フィルム３０としては、フィルムを構成する樹脂組成物中にカーボンブラックやシリカ等の可視光遮断性物質や紫外線遮断性物質を含有させた無色または着色フィルム、遮光性接着剤を用いて積層された積層フィルム、フィルムに黒色インキ、銀色インキ、白色インキ等による遮光印刷が施されたフィルム、または、これらの積層体を使用することができる。なお、ここにいう「フィルム」には、一般にシートと呼ばれるものも含まれる。
【００４１】
また、台紙１０の一部を破断して開封する方法を採用する場合は、例えば、図９（ａ）に示すように、カバー部材２２の各ポケット２２ａ毎に、上下一対の横ミシン目１１の一端同士を繋ぐ縦切目１６を形成することで片開きにしたり、同図（ｂ）に示すように、上下一対の横ミシン目１１の中央部同士を繋ぐ縦切目１６を形成することで観音開きにしたり、図１０（ａ）、（ｂ）に示すように、放射状のミシン目１７を形成することで放射状に開封することも可能である。
【００４２】
また、台紙１０の一部を破断することによって開封するのではなく、例えば、図１１に示すように、台紙１０Ａに全てのポケット２２ａを取り囲む開口１８を形成すると共に、複数のミシン目１９ａ及び複数の摘み部１９ｂが形成された、分割して剥離可能なタックシート１９を台紙１０Ａの裏面に貼着することによって開口１８を閉塞し、必要に応じてタックシート１９をミシン目１９ａで分割して破断しながら部分的に剥離することによって開封するようにしてもよい。この場合、タックシート１９の摘み部１９ｂ及び開口１８に対応する部分には粘着面が露出しないように、全面に粘着層を形成した後、粘着層の不要部分をマスキングしたり、予め、不要部分に粘着層を形成しないようにしておくことが望ましい。
【産業上の利用可能性】
【００４３】
本発明は、柔らかい被包装物や壊れやすい被包装物に対してスキンパック包装を施す場合に利用することができる。
【符号の説明】
【００４４】
１  スキンパック包装体
１０、１０Ａ  台紙
１１  横ミシン目
１２  縦ミシン目
１３  指入れ穴
１４  切目
１５  舌片
１６  縦切目
１７  放射状のミシン目
１８  開口
１９  タックシート
１９ａ  ミシン目
１９ｂ  摘み部
２０  被包装体
２１  物品（被包装物）
２２  カバー部材
２２ａ  ポケット
２３  ガスバリア性を有するシート
３０  合成樹脂フィルム
【図１】
2015009827.tif 000003
【図２】
2015009827.tif 000004
【図３】
2015009827.tif 000005
【図４】
2015009827.tif 000006
【図５】
2015009827.tif 000007
【図６】
2015009827.tif 000008
【図７】
2015009827.tif 000009
【図８】
2015009827.tif 000010
【図９】
2015009827.tif 000011
【図１０】
2015009827.tif 000012
【図１１】
2015009827.tif 000013